(57)【要約】【課題】手術の際に手術室内の複数の場所で消費された薬剤の容器を集計のために回収する作業を不要とし、容器の廃棄手順を厳格に遵守した上で使用薬剤を管理することができる薬剤登録装置およびプログラムを提供する。【解決手段】薬剤登録装置は、登録手段と、データ入力手段と、合算手段と、を備える。前記登録手段は、使用された薬剤および当該薬剤の使用数量について患者を識別する情報に対応付けて登録データとして記憶部に登録する。前記データ入力手段は、使用された薬剤および当該薬剤の使用数量について患者を識別する情報に対応付けた登録データを入力する。前記合算手段は、前記データ入力手段により入力された前記登録データを、前記患者を識別する情報をキーにして前記記憶部に登録されている前記登録データに合算する。【選択図】図１８
2015018442.tif 000002
【特許請求の範囲】
【請求項１】
使用された薬剤および当該薬剤の使用数量について患者を識別する情報に対応付けて登録データとして記憶部に登録する登録手段と、
前記記憶部に登録された前記登録データを出力するデータ出力手段と、
を備えることを特徴とする薬剤登録装置。
【請求項２】
前記データ出力手段は、着脱可能に設けられた記憶媒体に対して前記登録データを出力する、
ことを特徴とする請求項１記載の薬剤登録装置。
【請求項３】
使用された薬剤および当該薬剤の使用数量について患者を識別する情報に対応付けて登録データとして記憶部に登録する登録手段と、
使用された薬剤および当該薬剤の使用数量について患者を識別する情報に対応付けた登録データを入力するデータ入力手段と、
前記データ入力手段により入力された前記登録データを、前記患者を識別する情報をキーにして前記記憶部に登録されている前記登録データに合算する合算手段と、
を備えることを特徴とする薬剤登録装置。
【請求項４】
前記データ入力手段は、着脱可能に設けられた記憶媒体から前記登録データを入力する、
ことを特徴とする請求項３記載の薬剤登録装置。
【請求項５】
使用される薬剤に付されたコードシンボルのコード情報または使用される薬剤の外面情報を画像から読み取る読取手段と、
前記読取手段による読み取り結果として得られた情報に基づいて当該薬剤を識別する識別手段と、
を更に備え、
前記登録手段は、前記識別手段で識別された前記薬剤を前記記憶部に登録する、
ことを特徴とする請求項１ないし４の何れか一記載の薬剤登録装置。
【請求項６】
コンピュータを、
使用された薬剤および当該薬剤の使用数量について患者を識別する情報に対応付けて登録データとして記憶部に登録する登録手段と、
使用された薬剤および当該薬剤の使用数量について患者を識別する情報に対応付けた登録データを入力するデータ入力手段と、
前記データ入力手段により入力された前記登録データを、前記患者を識別する情報をキーにして前記記憶部に登録されている前記登録データに合算する合算手段と、
として機能させるためのプログラム。
【発明の詳細な説明】
【技術分野】
【０００１】
本発明の実施形態は、薬剤登録装置およびプログラムに関する。
【背景技術】
【０００２】
近年、薬剤の取り違い等の過誤の発生を防止するため、電子カルテと連動した薬剤オーダーシステムが普及しつつある。このような薬剤オーダーシステムは、例えば、患者別に取揃えた薬剤の容器に付されたバーコードで特定される薬剤情報と、患者に投薬すべき薬剤の情報とを照合し、薬剤の誤使用を防止している。このような薬剤オーダーシステムでは、あらかじめ患者毎に投薬する薬剤が医師によって指示され、定まっていることが必要である。
【０００３】
これに対し、手術室における手術等では、その場の状況に応じた医師の判断に基づいて薬剤を使う。そのため、上述のような薬剤オーダーシステムでは手術等で使用した薬剤を管理することができない。
【０００４】
したがって、手術等で使用された薬剤の管理は、看護師や薬剤師等による記録、集計となる。手術後、看護師等は、手術で使用された薬剤の容器を回収して確認する。そして、使用薬剤についての集計結果を伝票に手作業で記入した後、伝票を医事課へ提出する。
【０００５】
しかしながら、手術の際は手術室内の複数の場所で薬剤が消費されるため、看護師等は、薬剤の記録、集計に先立ち、各使用場所にて廃棄された薬剤の容器を回収しなければならない。そして、各使用場所から回収した使用薬剤について記録、集計しなければならず、作業が煩雑となっている。
【発明の概要】
【発明が解決しようとする課題】
【０００６】
本発明が解決しようとする課題は、たとえ同じ患者に複数の異なった場所で薬剤が使用されたとしても、使用済み薬剤の容器を集計場所に回収するような煩雑な作業を行なうことなく、使用薬剤を管理することができる薬剤登録装置およびプログラムを提供することである。
【課題を解決するための手段】
【０００７】
実施形態の薬剤登録装置は、登録手段と、データ出力手段と、を備える。前記登録手段は、使用された薬剤および当該薬剤の使用数量について患者を識別する情報に対応付けて登録データとして記憶部に登録する。前記データ出力手段は、前記記憶部に登録された前記登録データを出力する。
【０００８】
実施形態の薬剤登録装置は、登録手段と、データ入力手段と、合算手段と、を備える。前記登録手段は、使用された薬剤および当該薬剤の使用数量について患者を識別する情報に対応付けて登録データとして記憶部に登録する。前記データ入力手段は、使用された薬剤および当該薬剤の使用数量について患者を識別する情報に対応付けた登録データを入力する。前記合算手段は、前記データ入力手段により入力された前記登録データを、前記患者を識別する情報をキーにして前記記憶部に登録されている前記登録データに合算する。
【図面の簡単な説明】
【０００９】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、処理の流れを示すフローチャートである。
【図６】図６は、ログイン画面の一例を示す説明図である。
【図７】図７は、業務選択メニュー画面の一例を示す説明図である。
【図８】図８は、患者登録画面の一例を示す説明図である。
【図９】図９は、薬剤登録画面の一例を示す説明図である。
【図１０】図１０は、薬剤登録画面の一例を示す説明図である。
【図１１】図１１は、薬剤登録画面の一例を示す説明図である。
【図１２】図１２は、薬剤登録画面の一例を示す説明図である。
【図１３】図１３は、合算登録画面の一例を示す説明図である。
【図１４】図１４は、合算登録画面の一例を示す説明図である。
【図１５】図１５は、登録結果合算画面の一例を示す説明図である。
【図１６】図１６は、メモリ合算登録画面の一例を示す説明図である。
【図１７】図１７は、メモリ合算登録画面の一例を示す説明図である。
【図１８】図１８は、合算登録画面の一例を示す説明図である。
【発明を実施するための形態】
【００１０】
本実施の一形態を図面に基づいて説明する。
【００１１】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、複数の薬剤登録装置２０と、を備えている。
【００１２】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。
【００１３】
薬剤登録装置２０は、手術室に配置され、手術中に使用された薬剤、あるいは救急の場などにおいて緊急的に使用された薬剤の登録支援を行うための装置である。本実施形態においては、複数台の薬剤登録装置２０は、手術の際においては手術室内の複数の場所にそれぞれ配置されるものであって、各場所の担当の看護師によって手術中に使用された薬剤の登録支援に用いられることを想定する。
【００１４】
複数台の薬剤登録装置２０は、詳細は後述するが、最終的に登録データの合算を行う装置を親端末、それ以外の装置を子端末として、役割を分担する。このような親端末または子端末としての設定は、後述する制御プログラムを親端末と子端末とで変えるものであっても良いし、親端末と子端末とで同一の制御プログラムをインストールしておいて運用を変えるものであっても良い。
【００１５】
上記構成において、電子カルテサーバ１１、情報処理端末装置１２、情報処理端末装置１３、薬剤監査装置１４、薬剤部サーバ１９及び複数台の薬剤登録装置２０は、通信ネットワーク１７に接続されている。
【００１６】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１７】
装置本体部２４は、オペレータとなる看護師が各種操作を行うとともに、手術中に使用された薬剤のリスト等の各種情報を表示可能なタッチパネルディスプレイ２１を備えている。
【００１８】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤなどの光源（図示せず）とを有している。スキャナ２２は、看護師ＩＤ（Identification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１９】
なお、スキャナ２２は、図２に示すようなテーブル上に載置する形状に限るものではなく、床上に立設させるスタンド形状であっても良い。
【００２０】
さらに、薬剤登録装置２０は、着脱可能に設けられる記憶媒体としてのＵＳＢ（Universal  Serial  Bus）メモリ５０（図３参照）などが接続できるコネクタの役割を果たすＵＳＢポート４１を備えている。なお、子端末となる薬剤登録装置２０については、ＵＳＢメモリ５０を予め端末のＵＳＢポート４１に接続しておく。
【００２１】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていても良い。
【００２２】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ（Random  Access  Memory）３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブやＳＳＤ（Solid  State  Drive）によって構成されている。
【００２３】
ここで、タッチパネルディスプレイ２１、スキャナ２２、プリンタ２３、通信インタフェース３８及びＵＳＢポート４１は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００２４】
なお、タッチパネルディスプレイ２１は、表示部であるディスプレイ３５及びタッチパネル３６を主体に構成されている。
【００２５】
また、外部記憶装置３４は、手術中に使用された薬剤についての登録結果を記憶する使用薬剤記憶テーブルＴ１を備えている。
【００２６】
このような構成により、薬剤登録装置２０のＭＰＵ３１は、ＲＯＭ３２や外部記憶装置３４に記憶された制御プログラムに従って動作することで、手術中に使用された薬剤の登録支援を行う。
【００２７】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、データ出力手段３１５と、データ入力手段３１６と、合算手段３１７と、として機能する。
【００２８】
読取手段３１３は、スキャナ２２がスキャンした撮像画像から、手術に使用される薬剤に付されたコードシンボルのコード情報または手術に使用される薬剤の全部または一部の外面情報（薬剤のラベルを表す特徴量、薬剤の色合いや表面の凹凸状況等の表面の状態を表す特徴量など）を読み取る。バーコードや二次元コードなどのコードシンボルからコード情報を検出する処理については、従来からある技術なのでここでの説明は省略する。
【００２９】
識別手段３１４は、読取手段３１３による読み取り結果として得られた情報（コード情報または外面情報）に基づいて薬剤を識別する。コード情報に基づいて薬剤を識別する方法は、予めコード情報に対応付けて薬剤の薬剤情報（名称、量など）をテーブルとして記憶しておき、コード情報に基づく薬剤の薬剤情報をテーブルから抽出するようにすれば良い。また、外面情報（薬剤のラベルを表す特徴量、薬剤の色合いや表面の凹凸状況等の表面の状態を表す特徴量など）に基づいて薬剤を識別する方法は、予め外面情報に対応付けて薬剤の薬剤情報（名称、量など）をテーブルとして記憶しておき、外面情報に基づく薬剤の薬剤情報をテーブルから抽出するようにすれば良い。
【００３０】
登録手段３１１は、識別手段３１４で識別された手術に使用される薬剤および当該薬剤の使用数量について患者を識別する情報に対応付けて登録データとして記憶部である外部記憶装置３４の使用薬剤記憶テーブルＴ１に登録する。
【００３１】
表示制御手段３１２は、表示部であるディスプレイ３５に、登録手段３１１によって登録された薬剤に係る薬剤情報をリスト表示する。
【００３２】
データ出力手段３１５は、外部記憶装置３４の使用薬剤記憶テーブルＴ１に登録された登録データを着脱可能に設けられる記憶媒体としてのＵＳＢメモリ５０に出力する。なお、本実施形態においては、ＵＳＢメモリ５０に登録データを出力するようにしたが、これに限るものではなく、有線通信または無線通信などによって他の薬剤登録装置２０に対して登録データを出力するようにしても良い。
【００３３】
データ入力手段３１６は、使用された薬剤および当該薬剤の使用数量について患者を識別する情報に対応付けた登録データをＵＳＢメモリ５０から入力する。すなわち、薬剤登録装置２０は、他の薬剤登録装置２０にて行われた薬剤登録業務の登録データを、ＵＳＢメモリ５０経由で取り込む。なお、本実施形態においては、ＵＳＢメモリ５０から登録データを入力するようにしたが、これに限るものではなく、有線通信または無線通信などによって他の薬剤登録装置２０から登録データを入力するようにしても良い。
【００３４】
合算手段３１７は、データ入力手段３１６により入力された登録データを、患者を識別する情報をキーにして外部記憶装置３４の使用薬剤記憶テーブルＴ１に登録されている登録データに合算する。
【００３５】
次に、上述した実施形態にかかる薬剤登録装置２０のＭＰＵ３１が制御プログラムに従って実行する処理について説明する。実施形態にかかる薬剤登録装置２０は、手術中に使用された薬剤のコードシンボルや薬剤の画像などをスキャンし、手術後の薬剤登録処理を実行するとともに、子端末に設定された各薬剤登録装置２０における薬剤登録処理が実行された登録データを親端末に設定された薬剤登録装置２０において合算処理を実行する。
【００３６】
図５は、薬剤登録装置２０のＭＰＵ３１が制御プログラムに従って実行する処理の流れを示すフローチャートである。図５に示すように、薬剤登録装置２０のＭＰＵ３１は、初期状態として、ディスプレイ３５にログイン画面を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００３７】
図６は、ログイン画面Ｇ１の一例を示す説明図である。ログイン画面Ｇ１には、図６に示すように、「ＩＤカードを読み取らせてください。」というガイドコメント並びにＩＤカードに付されている看護師ＩＤのコードシンボルをスキャナ２２に読み込ませることを促すガイド画像が表示されている。
【００３８】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００３９】
なお、薬剤登録装置２０のＭＰＵ３１は、看護師ＩＤが認証できない場合（ステップＳ２のＮｏ）、ステップＳ１に戻り、ログイン画面Ｇ１を再度表示する。
【００４０】
薬剤登録装置２０のＭＰＵ３１は、ログイン処理により看護師ＩＤを認証すると（ステップＳ２のＹｅｓ）、ディスプレイ３５の表示画面に業務選択メニュー画面を表示する（ステップＳ３）。
【００４１】
図７は、業務選択メニュー画面Ｇ１１の一例を示す説明図である。業務選択メニュー画面Ｇ１１には、図７に示すように、「薬剤登録」メニューボタンＢ１の他、「登録結果合算」メニューボタンＢ２、「データ出力」メニューボタンＢ３などの各種メニューが表示されたボタンが一覧表示されている。なお、「登録結果合算」メニューボタンＢ２は、親端末に設定された薬剤登録装置２０についてのみ表示されるようにしても良い。
【００４２】
したがって、オペレータ（看護師）は、業務選択メニュー画面Ｇ１１に表示された各種メニューボタンから所望のメニューボタンを選択する。なお、本実施形態においては、「薬剤登録」メニューボタンＢ１、「登録結果合算」メニューボタンＢ２、「データ出力」メニューボタンＢ３が選択された場合について説明する。
【００４３】
薬剤登録装置２０のＭＰＵ３１は、業務選択メニュー画面Ｇ１１の「薬剤登録」メニューボタンＢ１が選択されると（ステップＳ４のＹｅｓ）、ディスプレイ３５の表示画面に患者登録画面を表示する（ステップＳ５）。
【００４４】
図８は、患者登録画面Ｇ２の一例を示す説明図である。患者登録画面Ｇ２には、図８に示すように、「患者ＩＤを読み取らせてください。」というガイドコメント並びに患者のリストバンドに付されている患者ＩＤのコードシンボルをスキャナ２２に読み込ませることを促すガイド画像が表示されている。
【００４５】
したがって、オペレータ（看護師）は、患者登録処理を行うために、患者のリストバンドに付されている患者を識別する情報である患者ＩＤのコードシンボルをスキャナ２２の前にかざして、患者ＩＤを読み込ませる。
【００４６】
なお、上述したような手術を行う患者についての患者登録処理は、手術室内の複数の場所にそれぞれ配置された全ての薬剤登録装置２０において実行される。
【００４７】
薬剤登録装置２０のＭＰＵ３１は、患者登録処理により患者ＩＤを登録すると（ステップＳ６のＹｅｓ）、ディスプレイ３５の表示画面に手術中に追加使用された薬剤を登録するための薬剤登録画面Ｇ３を表示する（ステップＳ７：表示制御手段３１２）。なお、薬剤登録装置２０のＭＰＵ３１は、患者ＩＤが登録できない場合（ステップＳ６のＮｏ）、ステップＳ５に戻り、患者登録画面Ｇ２を再度表示する。
【００４８】
図９は、薬剤登録画面Ｇ３の一例を示す説明図である。薬剤登録画面Ｇ３には、図９に示すように、初期状態では、「薬剤登録開始」というコメントが透かし文字（ウォーターマーク）として背景に表示された登録表示部Ａが表示されている。登録表示部Ａは、手術中に追加使用された薬剤を表示するエリアである。透かし文字は、手術中に追加使用された薬剤の表示の邪魔にならないように、薬剤の表示の色に比べて薄い色で表示される。
【００４９】
また、図９に示すように、登録表示部Ａには、患者情報（患者ＩＤ、年齢、性別など）を表示する患者情報表示部Ｂが表示されている。このような患者に関する患者情報（患者ＩＤ、年齢、性別など）は、例えば患者ＩＤに対応付けて電子カルテサーバ１１に登録されている。
【００５０】
さらに、薬剤登録画面Ｇ３には、図９に示すように、初期状態では、薬剤登録処理を行うために、薬剤に付されているコードシンボル等をスキャナ２２で読み込ませるためのガイド画像Ｃが表示されている。
【００５１】
さらに、薬剤登録画面Ｇ３には、図９に示すように、業務選択メニュー画面Ｇ１１に戻るための「業務選択」ボタンＢ４も表示されている。
【００５２】
看護師は、手術の際に医師の指示があった場合、指示があった薬剤を医師に手渡す。その後、看護師は、医師が使い終わった薬剤の空き容器を受け取る。
【００５３】
オペレータ（看護師）は、医師が使い終わった薬剤の空き容器を受け取ると、ガイド画像Ｃに従って、薬剤登録画面Ｇ３がディスプレイ３５に表示された状態で、手術中に追加使用された薬剤のコードシンボルや薬剤をスキャナ２２の前にかざして、使用済み薬剤のコードシンボルまたは薬剤の画像を読み取る。なお、看護師は、使用済み薬剤のコード情報を読み取りの際に使用する薬剤登録装置２０について、当該看護師の担当する作業場所に近い任意のものを使用することができる。
【００５４】
薬剤登録装置２０のＭＰＵ３１は、スキャナ２２がスキャンした撮像画像から得られた薬剤のコード情報または薬剤の外面情報（薬剤のラベルを表す特徴量、薬剤の色合いや表面の凹凸状況等の表面の状態を表す特徴量など）に基づいて手術中に追加使用された薬剤を登録可能である場合には（ステップＳ８のＹｅｓ：読取手段３１３、識別手段３１４、登録手段３１１）、手術中に追加使用された薬剤の薬剤情報（名称、量など）および数量を外部記憶装置３４の使用薬剤記憶テーブルＴ１に患者ＩＤに対応付けて登録データとして登録し（ステップＳ９）、ステップＳ７に戻る。なお、薬剤を登録可能であるか否かの判断は、スキャナ２２がスキャンした撮像画像から得られた薬剤のコード情報または薬剤の外面情報に対応付けられた薬剤に係る薬剤情報（名称、量など）が薬剤部サーバ１９に登録されているか否かによって判定する。
【００５５】
薬剤登録装置２０のＭＰＵ３１は、ステップＳ７に戻ると、手術中に追加使用された薬剤の登録に従い、登録された薬剤をディスプレイ３５に表示された薬剤登録画面Ｇ３の登録表示部Ａに表示する（表示制御手段３１２）。
【００５６】
図１０は、薬剤登録画面Ｇ３の一例を示す説明図である。薬剤を登録後の薬剤登録画面Ｇ３には、図１０に示すように、薬剤部サーバ１９から取得した登録した薬剤の薬剤情報（名称、量など）および数量が登録表示部Ａにリスト表示されていく。
【００５７】
なお、薬剤登録装置２０のＭＰＵ３１は、薬剤のコードまたは薬剤の画像に基づいて手術中に追加使用された薬剤を登録可能でないと判断した場合には（ステップＳ８のＮｏ：読取手段３１３、識別手段３１４、登録手段３１１）、ステップＳ７に戻り、薬剤登録画面Ｇ３をそのまま再度表示する。
【００５８】
このような薬剤登録処理は、オペレータ（看護師）によって例えば「業務選択」ボタンＢ４などの操作によって終了し（ステップＳ１０のＹｅｓ）、図７に示す業務選択メニュー画面の表示に戻る。
【００５９】
オペレータ（看護師）は、手術が終わると、子端末に設定された薬剤登録装置２０のＵＳＢポート４１に挿入されているＵＳＢメモリ５０に対して外部記憶装置３４の使用薬剤記憶テーブルＴ１に記憶されている登録データを移動する。この場合、オペレータ（看護師）は、子端末に設定された薬剤登録装置２０のディスプレイ３５の業務選択メニュー画面Ｇ１１に表示された「データ出力」メニューボタンＢ３を選択する。
【００６０】
次いで、子端末に設定された薬剤登録装置２０における薬剤登録処理による登録データについてのデータ出力処理について説明する。
【００６１】
薬剤登録装置２０のＭＰＵ３１は、業務選択メニュー画面Ｇ１１の「データ出力」メニューボタンＢ３が選択されると（ステップＳ４のＮｏ、ステップＳ１１のＹｅｓ）、ディスプレイ３５の薬剤登録画面Ｇ３上にＵＳＢメモリへ出力する旨をポップアップ表示する（ステップＳ１２）。
【００６２】
図１１は、薬剤登録画面Ｇ３の一例を示す説明図である。図１１に示すように、データ出力処理を実行する場合には、薬剤登録画面Ｇ３上に「ＵＳＢメモリが挿してあることを確認してから、［確定］を押してください。」というデータ出力処理を促すポップアップＰ２が表示される。したがって、ポップアップＰ２には、「確定」ボタンＢ１０も表示される。
【００６３】
薬剤登録装置２０のＭＰＵ３１は、「確定」ボタンＢ１０が押下されると（ステップＳ１３のＹｅｓ）、子端末に設定された薬剤登録装置２０のＵＳＢポート４１に挿入されているＵＳＢメモリ５０に対して外部記憶装置３４の使用薬剤記憶テーブルＴ１に記憶されている登録データを出力する（ステップＳ１４：データ出力手段３１５）。これにより、ＵＳＢメモリ５０には、手術中に使用された薬剤についての登録結果を記憶する使用薬剤記憶テーブルＴ２が形成される。
【００６４】
薬剤登録装置２０のＭＰＵ３１は、ＵＳＢポート４１に挿入されているＵＳＢメモリ５０に対する登録データの出力が終了すると（ステップＳ１５のＹｅｓ）、ディスプレイ３５の薬剤登録画面Ｇ３上に合算業務の案内をポップアップ表示する（ステップＳ１６）。
【００６５】
図１２は、薬剤登録画面Ｇ３の一例を示す説明図である。図１２に示すように、ＵＳＢメモリ５０に対する登録データの出力が終了すると、薬剤登録画面Ｇ３上に「ＵＳＢメモリに登録結果を出力しました。ＵＳＢメモリを抜いて合算先の端末で登録結果合算を実行して下さい。」という登録データの合算処理を促すポップアップＰ３が表示される。また、ポップアップＰ３には、「確定」ボタンＢ１１も表示される。
【００６６】
薬剤登録装置２０のＭＰＵ３１は、「確定」ボタンＢ１１が押下されると（ステップＳ１７のＹｅｓ）、子端末に設定された薬剤登録装置２０におけるデータ出力処理を終了し、図７に示す業務選択メニュー画面Ｇ１１に戻る。
【００６７】
オペレータ（看護師）は、手術後にデータ出力処理が終了すると、子端末に設定された薬剤登録装置２０のＵＳＢポート４１からＵＳＢメモリ５０を回収し、親端末に設定された薬剤登録装置２０で登録データの合算作業を行う。この場合、オペレータ（看護師）は、親端末に設定された薬剤登録装置２０のディスプレイ３５の業務選択メニュー画面Ｇ１１に表示された「登録結果合算」メニューボタンＢ２を選択する。
【００６８】
次いで、各薬剤登録装置２０における薬剤登録処理が実行された登録データについて、親端末に設定された薬剤登録装置２０における合算処理について説明する。合算処理は、概略的には、親端末に設定された薬剤登録装置２０に記憶された合算対象の登録データと、子端末に設定された薬剤登録装置２０のＵＳＢメモリ５０に記憶された合算対象の登録データとを選択した後、合算する手順で行う。
【００６９】
薬剤登録装置２０のＭＰＵ３１は、業務選択メニュー画面Ｇ１１の「登録結果合算」メニューボタンＢ２が選択されると（ステップＳ４のＮｏ、ステップＳ１１のＮｏ、ステップＳ１８のＹｅｓ）、ディスプレイ３５の表示画面に合算登録画面を表示する（ステップＳ１９）。なお、合算処理は、親端末に設定された薬剤登録装置２０で実行する。そのため、上述したように、「登録結果合算」メニューボタンＢ２は、親端末に設定された薬剤登録装置２０についてのみ表示されるようにしても良い。
【００７０】
図１３は、合算登録画面Ｇ１２の一例を示す説明図である。合算登録画面Ｇ１２には、図１３に示すように、「合算先となる登録データを選択して下さい」というガイドコメントとともに、親端末に設定された薬剤登録装置２０における薬剤登録処理の実行によって外部記憶装置３４の使用薬剤記憶テーブルＴ１に登録した薬剤の登録データが登録データ表示部Ｄにリスト表示される。登録データ表示部Ｄにリスト表示される薬剤の登録データは、日付指定部Ｅにおいて指定された日付に登録されたデータである。例えば、薬剤の登録データは、図１３に示すように、日付、ログインユーザ（看護師ＩＤ）、患者ＩＤ、患者の年齢、患者の性別などの情報を含んでいる。
【００７１】
オペレータ（看護師）は、日付指定後に登録データ表示部Ｄにリスト表示された薬剤の登録データから所望の患者にかかる薬剤の登録データを選択する。
【００７２】
図１４は、合算登録画面Ｇ１２の一例を示す説明図である。図１４に示すように、登録データ表示部Ｄにリスト表示された薬剤の登録データから所望の患者にかかる薬剤の登録データが選択されると、「確定」ボタンＢ５が表示される。
【００７３】
薬剤登録装置２０のＭＰＵ３１は、合算登録画面Ｇ１２の登録データ表示部Ｄにリスト表示された薬剤の登録データから所望の患者にかかる薬剤の登録データが選択されて「確定」ボタンＢ５が押下されると（ステップＳ２０のＹｅｓ）、ディスプレイ３５の表示画面に登録結果合算画面を表示する（ステップＳ２１）。これにより、合算先となる登録データの選択が終了したことになる。
【００７４】
図１５は、登録結果合算画面Ｇ１３の一例を示す説明図である。登録結果合算画面Ｇ１３には、図１５に示すように、「ＵＳＢメモリを挿して下さい」というガイドコメントとともに、合算登録画面Ｇ１２で選択された所望の患者にかかる薬剤の登録データが合算先として表示される合算先登録データ表示部Ｆが表示される。合算先登録データ表示部Ｆに表示される薬剤の登録データは、合算登録画面Ｇ１２で選択された所望の患者にかかる薬剤の登録データであって、図１５に示すように、日付、ログインユーザ（看護師ＩＤ）、患者ＩＤ、患者の年齢、患者の性別などの情報を含んでいる。
【００７５】
さらに、登録結果合算画面Ｇ１３には、図１５に示すように、合算処理を行うために、子端末に設定された薬剤登録装置２０に挿入されていたＵＳＢメモリ５０に記憶されたデータを親端末に設定された薬剤登録装置２０で読み取るためのガイド画像Ｇが表示されている。
【００７６】
オペレータ（看護師）は、親端末に設定された薬剤登録装置２０のＵＳＢポート４１に対して子端末に設定された薬剤登録装置２０に挿入されていたＵＳＢメモリ５０を挿入した後、「確定」ボタンＢ６を操作する。
【００７７】
薬剤登録装置２０のＭＰＵ３１は、ＵＳＢポート４１にＵＳＢメモリ５０が挿入されて「確定」ボタンＢ６が押下されると（ステップＳ２２のＹｅｓ）、ディスプレイ３５の表示画面にメモリ合算登録画面を表示する（ステップＳ２３）。
【００７８】
図１６は、メモリ合算登録画面Ｇ１４の一例を示す説明図である。メモリ合算登録画面Ｇ１４には、図１６に示すように、「合算するＵＳＢメモリ内のデータを選択して下さい」というガイドコメントとともに、合算登録画面Ｇ１２で選択された所望の患者にかかる薬剤の登録データが合算先として表示される合算先登録データ表示部Ｆが表示される。また、メモリ合算登録画面Ｇ１４には、図１６に示すように、子端末に設定された薬剤登録装置２０における薬剤登録処理の実行およびデータ出力によってＵＳＢメモリ５０の使用薬剤記憶テーブルＴ２に出力された薬剤の登録データが登録データ表示部Ｈにリスト表示される。登録データ表示部Ｈにリスト表示される薬剤の登録データは、日付指定部Ｉにおいて指定された日付に登録されたデータである。例えば、薬剤の登録データは、図１６に示すように、日付、ログインユーザ（看護師ＩＤ）、患者ＩＤ、患者の年齢、患者の性別などの情報を含んでいる。
【００７９】
オペレータ（看護師）は、日付指定後に登録データ表示部Ｈにリスト表示された薬剤の登録データから合算先登録データ表示部Ｆに表示されている所望の患者にかかる薬剤の登録データを選択する。
【００８０】
図１７は、メモリ合算登録画面Ｇ１４の一例を示す説明図である。図１７に示すように、登録データ表示部Ｈにリスト表示された薬剤の登録データから合算先登録データ表示部Ｆに表示されている所望の患者にかかる薬剤の登録データが選択されると、「確定」ボタンＢ７が表示される。
【００８１】
メモリ合算登録画面Ｇ１４の登録データ表示部Ｈにリスト表示された薬剤の登録データから合算先登録データ表示部Ｆに表示されている所望の患者にかかる薬剤の登録データが選択されて「確定」ボタンＢ７が押下されると（ステップＳ２４のＹｅｓ）、薬剤登録装置２０のＭＰＵ３１は、登録データ表示部Ｈにおいて選択された登録データの日付および患者ＩＤと合算先登録データ表示部Ｆに表示されている登録データの日付および患者ＩＤとを照合する（ステップＳ２５）。このように、登録データ表示部Ｈにおいて選択された登録データの日付および患者ＩＤと合算先登録データ表示部Ｆに表示されている登録データの日付および患者ＩＤとを照合することで、別の手術のデータを合算してしまう誤操作を回避することができる。
【００８２】
薬剤登録装置２０のＭＰＵ３１は、登録データ表示部Ｈにおいて選択された登録データの日付および患者ＩＤと合算先登録データ表示部Ｆに表示されている登録データの日付および患者ＩＤとが一致していると判断した場合には（ステップＳ２６のＹｅｓ）、登録データ表示部Ｈにおいて選択された登録データをＵＳＢメモリ５０の使用薬剤記憶テーブルＴ２から入力して親端末に設定された薬剤登録装置２０の外部記憶装置３４の使用薬剤記憶テーブルＴ１に合算する合算処理を実行する（ステップＳ２７：データ入力手段３１６、合算手段３１７）。
【００８３】
一方、薬剤登録装置２０のＭＰＵ３１は、登録データ表示部Ｈにおいて選択された登録データの日付および患者ＩＤと合算先登録データ表示部Ｆに表示されている登録データの日付および患者ＩＤとが一致していないと判断した場合には（ステップＳ２６のＮｏ）、その旨を表示（図示せず）するなどしてエラー報知するとともに（ステップＳ３２）、図１６に示したメモリ合算登録画面Ｇ１４に戻る。
【００８４】
薬剤登録装置２０のＭＰＵ３１は、ステップＳ２７における合算処理が終了すると、図１４に示した合算登録画面Ｇ１２上に合算処理が完了した旨をポップアップ表示する（ステップＳ２８）。
【００８５】
図１８は、合算登録画面Ｇ１２の一例を示す説明図である。図１８に示すように、合算処理が完了した場合には、合算登録画面Ｇ１２上に「選択したデータの合算処理が完了しました。」という合算処理が完了した旨のポップアップＰ１が表示される。また、ポップアップＰ１には、「続けて合算する場合は［確定］、合算を終了する場合は［キャンセル］を押して、ＵＳＢを抜いて下さい。」というガイダンスも表示される。したがって、ポップアップＰ１には、「確定」ボタンＢ８および「キャンセル」ボタンＢ９も表示される。
【００８６】
オペレータ（看護師）は、全ての子端末に設定された薬剤登録装置２０に挿入されていたＵＳＢメモリ５０の登録データについての合算処理が完了している場合には、「キャンセル」ボタンＢ９を操作し、全ての子端末に設定された薬剤登録装置２０に挿入されていたＵＳＢメモリ５０の登録データについての合算処理が完了していない場合には、「確定」ボタンＢ８を操作する。
【００８７】
薬剤登録装置２０のＭＰＵ３１は、「確定」ボタンＢ８が押下されると（ステップＳ２９のＹｅｓ）、ディスプレイ３５の表示画面に図１５に示した登録結果合算画面Ｇ１３を表示する（ステップＳ２１）。
【００８８】
オペレータ（看護師）は、親端末に設定された薬剤登録装置２０のＵＳＢポート４１に対して未合算の子端末に設定された薬剤登録装置２０に挿入されていたＵＳＢメモリ５０を挿入した後、「確定」ボタンＢ６を操作する。
【００８９】
一方、薬剤登録装置２０のＭＰＵ３１は、「キャンセル」ボタンＢ９が押下されると（ステップＳ２９のＮｏ、ステップＳ３０のＹｅｓ）、全ての薬剤登録装置２０における登録データの入力が終了したものと判断し、合算処理業務を完了し、合算された使用済みの薬剤のデータをプリンタ２３より帳票出力し（ステップＳ３１）、図７に示す業務選択メニュー画面Ｇ１１に戻る。
【００９０】
このように、本実施形態の薬剤登録装置２０によれば、手術の際に手術室内の複数の場所で消費された薬剤の容器を集計のために回収する作業が不要となるため、容器の廃棄手順を厳格に遵守した上で使用薬剤を管理することができる。また、本実施形態の薬剤登録装置２０によれば、消費された時点で薬剤登録装置２０への登録作業が行われるため、容器の紛失や重複計上、計上漏れなどの手順誤りも軽減することができる。
【００９１】
なお、本実施形態の薬剤登録装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００９２】
また、本実施形態の薬剤登録装置２０で実行される制御プログラムを、インターネット等のネットワークに接続されたコンピュータ上に格納し、ネットワーク経由でダウンロードさせることにより提供するように構成しても良い。また、本実施形態の薬剤登録装置２０で実行される制御プログラムをインターネット等のネットワーク経由で提供または配布するように構成しても良い。
【００９３】
また、本実施形態の薬剤登録装置２０で実行される制御プログラムを、ＲＯＭ等に予め組み込んで提供するように構成してもよい。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
３４      記憶部
３５      表示部
３１１    登録手段
３１２    表示制御手段
３１３    読取手段
３１４    識別手段
３１５    データ出力手段
３１６    データ入力手段
３１７    合算手段
【先行技術文献】
【特許文献】
【００９６】
【特許文献１】特開２００２−１６３３５７号公報
【図１】
2015018442.tif 000003
【図２】
2015018442.tif 000004
【図３】
2015018442.tif 000005
【図４】
2015018442.tif 000006
【図５】
2015018442.tif 000007
【図６】
2015018442.tif 000008
【図７】
2015018442.tif 000009
【図８】
2015018442.tif 000010
【図９】
2015018442.tif 000011
【図１０】
2015018442.tif 000012
【図１１】
2015018442.tif 000013
【図１２】
2015018442.tif 000014
【図１３】
2015018442.tif 000015
【図１４】
2015018442.tif 000016
【図１５】
2015018442.tif 000017
【図１６】
2015018442.tif 000018
【図１７】
2015018442.tif 000019
【図１８】
2015018442.tif 000020